(57)【要約】【課題】高温および／または高圧といった過酷条件での潤滑性に優れる潤滑剤組成物の提供。【解決手段】３価以上の多価アルコールが有するヒドロキシル基の少なくとも１つにアルキレンオキサイドが付加してなる３価以上の多価アルコールのアルキレンオキサイド付加物ａ１と、２価以上の多価カルボン酸ａ２または２価以上の多価カルボン酸ａ２の前駆体と、１価カルボン酸ａ３、１価カルボン酸ａ３の前駆体および１価アルコールａ４のうち少なくとも１種と、が少なくとも縮合した縮合物Ａを含有する潤滑剤組成物。【選択図】なし【特許請求の範囲】
【請求項１】
３価以上の多価アルコールが有するヒドロキシル基の少なくとも１つにアルキレンオキサイドが付加してなる３価以上の多価アルコールのアルキレンオキサイド付加物ａ１と、
２価以上の多価カルボン酸ａ２または２価以上の多価カルボン酸ａ２の前駆体と、
１価カルボン酸ａ３、１価カルボン酸ａ３の前駆体および１価アルコールａ４のうち少なくとも１種と、
が少なくとも縮合した縮合物Ａを含有する潤滑剤組成物。
【請求項２】
３価以上の多価アルコールのアルキレンオキサイド付加物ａ１が、トリメチロールプロパン、トリメチロールエタン、ジトリメチロールプロパン、グリセロール、ペンタエリスリトール、ジペンタエリスリトールから選ばれる少なくとも１種が有するヒドロキシル基の少なくとも１つにアルキレンオキサイドが付加してなる、請求項１に記載の潤滑剤組成物。
【請求項３】
３価以上の多価アルコールのアルキレンオキサイド付加物ａ１が、アルキレンオキシ繰返し単位を分子内に平均で６個以上有する、請求項１または２に記載の潤滑剤組成物。
【請求項４】
３価以上の多価アルコールのアルキレンオキサイド付加物ａ１が、３価以上の多価アルコールが有するヒドロキシル基の全てにそれぞれ独立なアルキレンオキサイドが付加してなる、請求項１〜３のいずれか一項に記載の潤滑剤組成物。
【請求項５】
１価カルボン酸ａ３が、炭素数８以上である、請求項１〜４のいずれか一項に記載の潤滑剤組成物。
【請求項６】
１価カルボン酸ａ３が分岐アルキル基を有する、請求項１〜５のいずれか一項に記載の潤滑剤組成物。
【請求項７】
１価アルコールａ４が分岐アルキル基を有する、請求項１〜６のいずれか一項に記載の潤滑剤組成物。
【請求項８】
１価アルコールａ４がアルキレンオキシ構造を有する、請求項１〜７のいずれか一項に記載の潤滑剤組成物。
【請求項９】
２価以上の多価カルボン酸ａ２または２価以上の多価カルボン酸ａ２の前駆体が、炭素数３６以上である、請求項１〜８のいずれか一項に記載の潤滑剤組成物。
【請求項１０】
前記縮合物Ａは、
３価以上の多価アルコールのアルキレンオキサイド付加物ａ１由来の構造が、２価以上の多価カルボン酸ａ２または２価以上の多価カルボン酸ａ２の前駆体由来の構造を介して、１価アルコールａ４由来の構造と結合した構造（ａ１−ａ２−ａ４）、
及び／又は
２価以上の多価カルボン酸ａ２または２価以上の多価カルボン酸ａ２の前駆体由来の構造が、３価以上の多価アルコールのアルキレンオキサイド付加物ａ１由来の構造を介して、１価カルボン酸ａ３または１価カルボン酸ａ３の前駆体由来の構造と結合した構造（ａ２−ａ１−ａ３）
を含有する純物質または混合物である、請求項１〜９のいずれか一項に記載の潤滑剤組成物。
【請求項１１】
前記縮合物Ａがポリマーである、請求項１〜１０のいずれか一項に記載の潤滑剤組成物。
【請求項１２】
前記縮合物Ａを全潤滑剤組成物中０．０１〜２０質量％含有する、請求項１〜１１のいずれか一項に記載の潤滑剤組成物。
【請求項１３】
全潤滑剤組成物に対し、前記縮合物Ａの割合が０．１〜２０質量％、媒体の割合が７０〜９９．９質量％、前記縮合物Ａおよび前記媒体以外の他の成分の割合が０〜２９．９質量％である、請求項１〜１２のいずれか一項に記載の潤滑剤組成物。
【請求項１４】
前記媒体が鉱油、ポリオレフィン油、エステル油、エーテル油から選ばれる少なくとも１種である、請求項１３に記載の潤滑剤組成物。
【請求項１５】
前記縮合物Ａおよび前記媒体以外の他の成分が亜鉛、モリブデン、硫黄およびリンのうち少なくとも１種を構成元素として有する化合物である、請求項１３または１４に記載の潤滑剤組成物。
【発明の詳細な説明】
【技術分野】
【０００１】
本発明は潤滑剤組成物に関する。より詳しくは、特定の構造の縮合物を含有する、高温および／または高圧といった過酷条件での潤滑性に優れる潤滑剤組成物に関する。
【背景技術】
【０００２】
潤滑剤は、一般にベースオイルと種々の添加剤を含む。ベースオイルとしては、原油から得られる鉱物油、化学合成されるエステル系油、フッ素油、ポリαオレフィン系油などがある。これらの中でも、エステル系油は、低流動点、高粘度指数、高引火点、良好な潤滑性、生分解性などから、ジェット機、自動車エンジン油、グリースなどに好適に用いられる。
【０００３】
エステル系油としては、脂肪族モノカルボン酸と一価アルコールとの反応から得られるモノエステル；脂肪族二塩基酸と一価アルコールとの反応から得られるジエステル；多価アルコールと脂肪族カルボン酸との反応から得られるエステル；及びポリオール、多塩基酸、脂肪族モノカルボン酸との反応から得られる複合エステル；等、様々なエステル類が開示されている（特許文献１〜９）。
【先行技術文献】
【特許文献】
【０００４】
【特許文献１】特開２００２−０９７４８２号公報
【特許文献２】特開２００５−１５４７２６号公報
【特許文献３】特開２００５−２３２４３４号公報
【特許文献４】特開２００５−２１３３７７号公報
【特許文献５】特開２００５−２３２４７０号公報
【特許文献６】特表２００１−５０１９８９号公報
【特許文献７】特表２００１−５００５４９号公報
【特許文献８】特表２００１−５０７３３４号公報
【特許文献９】特開２０１１−８９１０６号公報
【発明の概要】
【発明が解決しようとする課題】
【０００５】
しかしながら、これらエステル潤滑油においても、高圧および／または高温といった過酷な状況での潤滑性は十分といえず、さらに良好な潤滑性、特に低摩擦を有し、潤滑剤の基油として又は添加剤として有用な化合物が求められている。
本発明が解決しようとする課題は、高温および／または高圧といった過酷条件での潤滑性に優れる潤滑剤組成物を提供することである。
【課題を解決するための手段】
【０００６】
本発明者は、上記の課題を解決すべく、種々検討した結果、特定のアルコールとカルボン酸を縮合した縮合物を含有する潤滑剤組成物が、高温および／または高圧といった過酷条件においても良好な潤滑性を発現し、低摩擦の潤滑油または潤滑油添加剤として好適に用いることができることを見出した。
すなわち、上記課題は、以下の構成の本発明によって解決される。
【０００７】
［１］  ３価以上の多価アルコールが有するヒドロキシル基の少なくとも１つにアルキレンオキサイドが付加してなる３価以上の多価アルコールのアルキレンオキサイド付加物ａ１と、
２価以上の多価カルボン酸ａ２または２価以上の多価カルボン酸ａ２の前駆体と、
１価カルボン酸ａ３、１価カルボン酸ａ３の前駆体および１価アルコールａ４のうち少なくとも１種と、
が少なくとも縮合した縮合物Ａを含有する潤滑剤組成物。
［２］  ［１］に記載の潤滑剤組成物は、３価以上の多価アルコールのアルキレンオキサイド付加物ａ１が、トリメチロールプロパン、トリメチロールエタン、ジトリメチロールプロパン、グリセロール、ペンタエリスリトール、ジペンタエリスリトールから選ばれる少なくとも１種が有するヒドロキシル基の少なくとも１つにアルキレンオキサイドが付加してなることが好ましい。
［３］  ［１］または［２］に記載の潤滑剤組成物は、３価以上の多価アルコールのアルキレンオキサイド付加物ａ１が、アルキレンオキシ繰返し単位を分子内に平均で６個以上有することが好ましい。
［４］  ［１］〜［３］のいずれか一項に記載の潤滑剤組成物は、３価以上の多価アルコールのアルキレンオキサイド付加物ａ１が、３価以上の多価アルコールが有するヒドロキシル基の全てにそれぞれ独立なアルキレンオキサイドが付加してなることが好ましい。
［５］  ［１］〜［４］のいずれか一項に記載の潤滑剤組成物は、１価カルボン酸ａ３が、炭素数８以上であることが好ましい。
［６］  ［１］〜［５］のいずれか一項に記載の潤滑剤組成物は、１価カルボン酸ａ３が分岐アルキル基を有することが好ましい。
［７］  ［１］〜［６］のいずれか一項に記載の潤滑剤組成物は、１価アルコールａ４が分岐アルキル基を有することが好ましい。
［８］  ［１］〜［７］のいずれか一項に記載の潤滑剤組成物は、１価アルコールａ４がアルキレンオキシ構造を有することが好ましい。
［９］  ［１］〜［８］のいずれか一項に記載の潤滑剤組成物は、２価以上の多価カルボン酸ａ２または２価以上の多価カルボン酸ａ２の前駆体が、炭素数３６以上であることが好ましい。
［１０］  ［１］〜［９］のいずれか一項に記載の潤滑剤組成物は、
上述の縮合物Ａは、
３価以上の多価アルコールのアルキレンオキサイド付加物ａ１由来の構造が、２価以上の多価カルボン酸ａ２または２価以上の多価カルボン酸ａ２の前駆体由来の構造を介して、１価アルコールａ４由来の構造と結合した構造、
及び／又は
２価以上の多価カルボン酸ａ２または２価以上の多価カルボン酸ａ２の前駆体由来の構造が、３価以上の多価アルコールのアルキレンオキサイド付加物ａ１由来の構造を介して、１価カルボン酸ａ３または１価カルボン酸ａ３の前駆体由来の構造と結合した構造
を含有する純物質または混合物であることが好ましい。
［１１］  ［１］〜［１０］のいずれか一項に記載の潤滑剤組成物は、上述の縮合物Ａがポリマーであることが好ましい。
［１２］  ［１］〜［１１］のいずれか一項に記載の潤滑剤組成物は、上述の縮合物Ａを全潤滑剤組成物中０．０１〜２０質量％含有することが好ましい。
［１３］  ［１］〜［１２］のいずれか一項に記載の潤滑剤組成物は、全潤滑剤組成物に対し、上述の縮合物Ａの割合が０．１〜２０質量％、媒体の割合が７０〜９９．９質量％、上述の縮合物Ａおよび媒体以外の他の成分の割合が０〜２９．９質量％であることが好ましい。
［１４］  ［１３］に記載の潤滑剤組成物は、媒体が鉱油、ポリオレフィン油、エステル油、エーテル油から選ばれる少なくとも１種であることが好ましい。
［１５］  ［１３］または［１４］に記載の潤滑剤組成物は、上述の縮合物Ａおよび媒体以外の他の成分が亜鉛、モリブデン、硫黄およびリンのうち少なくとも１種を構成元素として有する化合物であることが好ましい。
【発明の効果】
【０００８】
本発明によれば、高温および／または高圧といった過酷条件での潤滑性に優れる潤滑剤組成物を提供することができる。
【発明を実施するための形態】
【０００９】
以下、本発明の潤滑剤組成物について詳細に説明する。
以下に記載する構成要件の説明は、本発明の代表的な実施態様に基づいてなされることがあるが、本発明はそのような実施態様に限定されるものではない。なお、本明細書において「〜」を用いて表される数値範囲は、「〜」の前後に記載される数値を下限値および上限値として含む範囲を意味する。
本明細書中、縮合物とは縮合反応によって得られる反応生成物（ｒｅａｃｔｉｏｎ  ｐｒｏｄｕｃｔ）のことを言う。
本明細書中、反応混合物（ｒｅａｃｔｉｏｎ  ｍｉｘｔｕｒｅ）とは反応によって得られる組成物のことを言う。
本明細書中、縮合反応混合物（ｒｅａｃｔｉｏｎ  ｍｉｘｔｕｒｅ  ｏｆ  ｃｏｎｄｅｎｓａｔｉｏｎ）とは、縮合反応によって得られる組成物のことを言う。ここで、縮合反応混合物は、後述の原料の縮合反応により得られるポリエステル、エステルオリゴマー、低分子エステルなどの種々の縮合物（縮合物Ａを含む）、未反応のアルコール原料、カルボン酸原料の混合物を含んでいてもよい。
【００１０】
［潤滑剤組成物］
本発明の潤滑剤組成物は
３価以上の多価アルコールが有するヒドロキシル基の少なくとも１つにアルキレンオキサイドが付加してなる３価以上の多価アルコールのアルキレンオキサイド付加物ａ１と、
２価以上の多価カルボン酸ａ２または２価以上の多価カルボン酸ａ２の前駆体と、
１価カルボン酸ａ３、１価カルボン酸ａ３の前駆体および１価アルコールａ４のうち少なくとも１種と、
が少なくとも縮合した縮合物Ａを含有する。
このような構成を有するために本発明の潤滑剤組成物は、高温および／または高圧といった過酷条件での潤滑性に優れる。
【００１１】
＜縮合物Ａ＞
（縮合物Ａの構造）
縮合物Ａの構造に関して、縮合物Ａを得るための縮合反応に用いられる各成分ａ１、ａ２、ａ３およびａ４、ならびに、その他の成分について説明する。
【００１２】
（ａ１）３価以上の多価アルコールのアルキレンオキサイド付加物
縮合物Ａを得るための縮合反応に用いられる成分である、３価以上の多価アルコールが有するヒドロキシル基の少なくとも１つにアルキレンオキサイドが付加してなる３価以上の多価アルコールのアルキレンオキサイド付加物ａ１（以下、（ａ１）成分とも言う）について説明する。
３価以上の多価アルコールとしてはアルコール性水酸基及び／又はフェノール性水酸基を分子内に３つ以上含有する化合物であり、アルコール性水酸基を３つ以上含有する化合物が好ましく、アルコール性水酸基を３〜６個有する化合物がより好ましい。
好ましい３価以上の多価アルコールとしては下記一般式（ａ１−１）で表されるアルコールである。
【００１３】
一般式（ａ１−１）
【化１】
2015160913.tif 000002
一般式（ａ１−１）中、Ｚはｍ１価の連結基を表し、ｍ１は３以上の整数を表す。
【００１４】
一般式（ａ１−１）で表されるアルコールは、ｍ１価のアルコールである。
一般式（ａ１−１）中、Ｚはｍ１価の連結基であり、Ｚは言い換えるとｍ１価のアルコールからｍ１個のヒドロキシル基を取り去ることで形成される多価アルコール母核を意味する。
Ｚは、少なくとも１つの３価以上の連結基を含むｍ１価の連結基である。３価以上の連結基としては特に制限はないが、例えば三級炭素原子を含む３価の連結基、四級炭素原子などを好ましく挙げることができる。
三級炭素原子を含む３価の連結基としては、以下の構造が好ましく、下記構造中のＲｃは水素原子または置換基を表す。
【化２】
2015160913.tif 000003
四級炭素原子は、以下の構造である。
【化３】
2015160913.tif 000004
Ｚとして好ましくはアルキレン基、アリーレン基およびこれらの複数が単結合、２価の連結基（好ましくは−Ｏ−、−Ｃ（＝）Ｏ−、−ＯＣ（＝）Ｏ−、−Ｓ−、−ＳＯ2−、−Ｃ（＝Ｏ）−、−Ｃ（＝Ｏ）ＮＲｂ−（Ｒｂ：Ｈ、アルキル基、アリール基））または３価以上の連結基で結合した構造であり、かつ、少なくとも１つの３価以上の連結基を含むｍ１価の連結基である。
２価の連結基上に他の置換基を有していてもよい。
好ましいＺは後述の３価以上の多価アルコールの好ましい例から水酸基を除いた残基である。
【００１５】
ｍ１は３以上の整数であり、好ましくは３〜６であり、より好ましくは３または４である。
【００１６】
３価以上の多価アルコールは、具体的には、グリセリン、１，２，３−ブタントリオール、１，２，４−ブタントリオール、１，２，３−ペンタントリオール、１，２，４−ペンタントリオール、２−メチル−１，２，３−プロパントリオール、２−メチル−２，３，４−ブタントリオール、２−エチル−１，２，３−ブタントリオール、２，３，４−ペンタントリオール、３−メチルペンタン−１，３，５−トリオール、２，４−ジメチル−２，３，４−ペンタントリオール、２，３，４−ヘキサントリオール、４−プロピル−３，４，５−ヘプタントリオール、１，３，５−シクロヘキサントリオール、ペンタメチルグリセリン、トリメチロールエタン、トリメチロールプロパンなどの３価のアルコール、１，２，３，４−ブタンテトラオール、ペンタエリスリトール、ジグリセリン、ソルビタン、リボース、アラビノース、キシロース、リキソース、ジトリメチロールエタン、ジトリメチロールプロパンなどの４価アルコール、アラビトール、キシリトール、グルコース、フルクトース、ガラクトース、マンノース、アロース、グロース、イドース、タロースなどの５価アルコール、ジペンタエリスリトール、ソルビトール、ガラクチトール、マンニトール、アリトール、イジトール、タリトール、イノシトール、クエルシトールなどの６価アルコール、トリペンタエリスリトールなどの８価のアルコールが好ましい。
これらの中でもトリメチロールエタン、トリメチロールプロパン、グリセロール、ペンタエリスリトール、ジトリメチロールエタン、ジトリメチロールプロパン、ジまたはトリペンタエリスリトールが特に好ましい。
【００１７】
３価以上の多価アルコールのアルキレンオキサイド付加物ａ１は前記３価以上の多価アルコールが有するヒドロキシル基の少なくとも１つにアルキレンオキサイドが付加してなる化合物である。付加しているアルキレンオキサイドとしては、エチレンオキサイド、プロピレンオキサイド、ブチレンオキサイドおよびこれらの複数の組合せが好ましく、エチレンオキサイド、プロピレンオキサイドがより好ましい。
３価以上の多価アルコールのアルキレンオキサイド付加物ａ１が、３価以上の多価アルコールが有するヒドロキシル基の全てにそれぞれ独立なアルキレンオキサイドが付加してなることが好ましい。
付加したアルキレンオキサイドの数としては３価以上の多価アルコールのアルキレンオキサイド付加物ａ１中に平均で３〜２００が好ましく、６〜１００がより好ましい。３価以上の多価アルコールのアルキレンオキサイド付加物ａ１が、アルキレンオキシ繰返し単位を分子内に平均で６個以上有することが、高温および／または高圧といった過酷条件での潤滑性の観点から好ましい。
より好ましいアルキレンオキサイドの付加数としては前記３価以上の多価アルコールのヒドロキシル基の数に対して平均で１〜２０倍の数であり、更に好ましくは２〜１０倍の数であり、特に好ましくは３〜７倍の数である。
【００１８】
３価以上の多価アルコールのアルキレンオキサイド付加物ａ１として好ましくは下記一般式（ａ１−２）で表される化合物である。
一般式（ａ１−２）
【化４】
2015160913.tif 000005
一般式（ａ１−２）中、Ｚはｍ１価の連結基を表し、ｍ１は３以上の整数を表し、Ｒ11はアルキレン基を表し、ｎ１は１〜１００の整数を表す。
【００１９】
一般式（ａ１−２）中におけるＺ、ｍ１は、一般式（ａ１−１）中におけるＺ、ｍ１と同義である。好ましいＺは前記３価以上の多価アルコールの好ましい例から水酸基を除いた残基である。
Ｒ11はアルキレン基であり、好ましくはエチレン基、プロピレン基、ブチレン基であり、より好ましくはエチレン基、プロピレン基である。複数存在するＲ11は同一でも異なっていてもよい。
ｎ１は１〜１００であり、好ましくは１〜２０、より好ましくは２〜１０、特に好ましくは３〜７である。複数存在するｎ１は同一でも異なっていてもよい。
【００２０】
（ａ２）２価以上の多価カルボン酸または多価カルボン酸前駆体
縮合物Ａを得るための縮合反応に用いられる成分である、２価以上の多価カルボン酸ａ２または２価以上の多価カルボン酸ａ２の前駆体（以下、（ａ２）成分とも言う）について説明する。
２価以上の多価カルボン酸ａ２または２価以上の多価カルボン酸ａ２の前駆体としては、カルボキシル基またはカルボン酸前駆体構造を２個以上有する化合物であり、好ましくはカルボキシル基またはカルボン酸前駆体構造を２〜４個、より好ましくは２又は３個、更に好ましくは２個有する化合物である。ここで前駆体とは、３価以上の多価アルコールのアルキレンオキサイド付加物ａ１または１価アルコールａ４のアルコールと反応してエステル結合を形成できる基を表し、カルボン酸ハライド、カルボン酸エステル（好ましくはメチルエステル、エチルエステル）、カルボン酸無水物（好ましくは無水コハク酸）、カルボン酸と他の酸（好ましくはメタンスルホン酸、トルエンスルホン酸などのスルホン酸、トリフロロ酢酸などの置換カルボン酸）の混合無水物が好ましい。以下、２価以上の多価カルボン酸ａ２の詳細な説明においてはその前駆体も含めることとする。
２価以上の多価カルボン酸ａ２分子中のカルボキシル基は、鎖状もしくは環状の２価以上の脂肪族炭化水素又は芳香族炭化水素で連結されている。脂肪族炭化水素又は芳香族炭化水素連結基の炭素原子の互いに隣接しない１以上の炭素原子は酸素原子に置換されていてもよい。
【００２１】
２価以上の多価カルボン酸ａ２の炭素数は、４以上であることが好ましく、１０以上であることが好ましく、１８以上であることがより好ましく、２２以上であることがさらに好ましく、２６以上であることが特に好ましく、３６以上であることがより特に好ましい。また、２価以上の多価カルボン酸ａ２の炭素数は、７０以下であることが好ましく、６６以下であることがより好ましく、５９以下であることがさらに好ましい。なお、本発明において、２価以上の多価カルボン酸ａ２の炭素数とは、カルボキシル基を構成する炭素原子も含めた炭素数を表すものとする。このように２価以上の多価カルボン酸ａ２の炭素数を上記範囲内とすることにより、潤滑性、ならびに、高温および／または高圧といった過酷条件での潤滑性をより高めることができる。
【００２２】
本発明で用いることができる２価以上の多価カルボン酸ａ２としては、例えば、テレフタル酸、フタル酸、マロン酸、コハク酸、グルタル酸、アジピン酸、スベリン酸、アゼライン酸、セバシン酸、ドデカンジオン酸、トリメリット酸、ダイマー酸（炭素数１８の不飽和カルボン酸の二量体）、及びダイマー酸の水添体、トリマー酸（炭素数１８の不飽和カルボン酸の三量体）、炭素数２２の不飽和カルボン酸の二量体（例えばエルカ酸ダイマー）等を挙げることができる。中でも、ダイマー酸、及びダイマー酸の水添体、トリマー酸、炭素数２２の不飽和カルボン酸の二量体を用いることが、高温および／または高圧といった過酷条件での潤滑性、ならびに、基油への溶解性の観点から好ましく、ダイマー酸、ダイマー酸の水添体、炭素数２２の不飽和カルボン酸の二量体を用いることがより好ましい。
ここでダイマー酸とは、不飽和脂肪酸（通常は、炭素数１８）が重合またはＤｉｅｌｓ−Ａｌｄｅｒ反応等によって二量化して生じる脂肪族または脂環族ジカルボン酸（大部分の２量体の他、３量体、モノマー等を数モル％含有するものが多い）をいい、そのうち、主成分が３量体のものをトリマー酸と定義する。
ダイマー酸またはトリマー酸の具体例としては、築野食品工業株式会社製  ツノダイム（登録商標）２０５、２１６、２２８、３９５がダイマー酸として挙げられ、ツノダイム３４５などはトリマー酸の例として挙げられる。他にコグニス社、ユニケマ社の製品を用いてもよい。
【００２３】
下記に本発明で用いることができる２価以上の多価カルボン酸ａ２および２価以上の多価カルボン酸ａ２の前駆体の具体例を示すが、本発明はこれに限定されるものではない。
【００２４】
【化５】
2015160913.tif 000006
【００２５】
（ａ３）１価カルボン酸または１価カルボン酸前駆体
縮合物Ａを得るための縮合反応に用いられる成分である、１価カルボン酸ａ３または１価カルボン酸ａ３の前駆体（以下、（ａ３）成分とも言う）について説明する。
本発明における１価カルボン酸ａ３または１価カルボン酸ａ３の前駆体としては、脂肪族カルボン酸、芳香族カルボン酸およびそれらのカルボン酸前駆体構造が挙げられ、脂肪族カルボン酸およびそのカルボン酸前駆体構造が好ましい。１価カルボン酸ａ３または１価カルボン酸ａ３の前駆体の炭素数としては炭素数５以上であることが好ましく、炭素数８以上であることが高温および／または高圧といった過酷条件での潤滑性の観点からより好ましく、炭素数９以上であることが特に好ましい。
１価カルボン酸ａ３または１価カルボン酸ａ３の前駆体が分岐アルキル基を有することが、高温および／または高圧といった過酷条件での潤滑性の観点から好ましい。
更に好ましい１価カルボン酸ａ３または１価カルボン酸ａ３の前駆体としては、炭素数９以上で且つ、分岐アルキル基を有する脂肪族の１価カルボン酸または１価カルボン酸の前駆体、あるいは、炭素数１３以上の直鎖または分岐アルキル基を有する脂肪族の１価カルボン酸または１価カルボン酸の前駆体である。
ここで前駆体とは、３価以上の多価アルコールのアルキレンオキサイド付加物ａ１または１価アルコールａ４のアルコールと反応してエステル結合を形成できる基を表し、カルボン酸ハライド、カルボン酸エステル（好ましくはメチルエステル、エチルエステル）、カルボン酸無水物、カルボン酸と他の酸（好ましくはメタンスルホン酸、トルエンスルホン酸などのスルホン酸、トリフロロ酢酸などの置換カルボン酸）の混合無水物が好ましい。以下、１価カルボン酸ａ３の詳細な説明においてはその前駆体も含めることとする。
好ましい１価カルボン酸ａ３の具体例としては、ブタン酸、ペンタン酸、ヘキサン酸、ヘプタン酸、オクタン酸、デカン酸、ステアリン酸、ドデカン酸、ラウリン酸、テトラデカン酸、ベヘン酸などの直鎖アルキル基を有する１価カルボン酸、２，３，４，８，１０，１０−ヘキサメチルウンデカン−５−カルボン酸、２−エチルヘキサン酸、２−ヘプチルウンデカン酸（イソステアリン酸）などの分岐アルキル基を有する１価カルボン酸、オレイン酸、リノール酸、エルカ酸、モノマー酸などの不飽和脂肪酸が挙げられ、その中でもステアリン酸、２−エチルヘキサン酸、２−ヘプチルウンデカン酸（イソステアリン酸）が好ましく、２−ヘプチルウンデカン酸（イソステアリン酸）がより好ましい。
【００２６】
下記に本発明で用いることができる１価カルボン酸ａ３または１価カルボン酸ａ３の前駆体の具体例を示すが、本発明はこれに限定されるものではない。
【化６】
2015160913.tif 000007
【００２７】
（ａ４）１価アルコール
縮合物Ａを得るための縮合反応に用いられる成分である、１価アルコールａ４（以下、（ａ４）成分とも言う）について説明する。
１価アルコールａ４は、一分子内に水酸基を１つ含む化合物である。１価アルコールａ４は、Ｒ−ＯＨで表される。Ｒは１価の脂肪族、脂環式又は芳香環基であり、Ｒ中の炭素原子の互いに隣接しない１以上の炭素原子が酸素原子に置換されていてもよい。Ｒの炭素数は４以上であることが好ましく、６以上であることがより好ましく、８以上であることが特に好ましく、１０以上であることがさらに好ましい。１価アルコールの炭素数を上記範囲内とすることにより、各種基油への溶解性が向上し、さらに摩擦特性も改良され、縮合反応時に１価アルコールが揮散することを抑制することができる。
１価アルコールａ４が分岐アルキル基を有することが、高温および／または高圧といった過酷条件での潤滑性の観点から好ましい。
１価アルコールａ４がアルキレンオキシ構造を有することが、高温および／または高圧といった過酷条件での潤滑性の観点から好ましい。
１価アルコールａ４として更に好ましくは、炭素数１０以上のアルキル基を有している及び／又は分岐アルキル基を有している、及び／又はアルキレンオキシ構造を有しているものである。
【００２８】
本発明に適する１価アルコールａ４としては、例えば、ブタノール、イソブタノール、ペンタノール、プロパノール、ヘキサノール、２−エチルヘキサノール、ヘプタノール、オクタノール、デカノール、ドデカノール、ヘキサデカノール、オクタデカノール、２−ヘプチルウンデカノール、エイコサデカノール、フィトステロール、イソステアリルアルコール、ステアロール、セトール、ベヘノール、あるいはこれら１価アルコールのアルキレンオキサイド付加物（アルキレンオキシ構造を有する化合物）等が挙げられる。
【００２９】
本発明で用いる１価アルコールａ４は、アルキレンオキシ構造を有することが好ましく、下記一般式（３）で表されるものであることがより好ましい。
一般式（３）
【化７】
2015160913.tif 000008
【００３０】
ここで、一般式（３）中、Ｒaは置換基を有してもよいアルキル基、置換基を有してもよいシクロアルキル基、置換基を有してもよいアルケニル基、置換基を有してもよいアリール基又は置換基を有してもよいヘテロアリール基であり、Ｘa1及びＸa2はそれぞれ独立に水素原子、ハロゲン原子又はアルキル基を表す。また、ｎａ１は２〜４の整数を表し、ｎａ２は１〜２０の整数を表す。
【００３１】
Ｒaで表される置換基を有してもよいアルキル基のアルキル基部分の炭素数は、２〜２５であることが好ましく、４〜２２であることがより好ましく、６〜２０であることがさらに好ましく、８〜１８であることが好ましい。Ｒaが表すアルキル基は直鎖であっても分岐であってもよいが、分岐であることが高温および／または高圧といった過酷条件での潤滑性の観点からも好ましく、また、基油への添加剤として用いる際、溶解性の観点から好ましい。
また、Ｒaは置換基を有してもよいシクロアルキル基であってもよい。
【００３２】
Ｒaで表される置換基を有してもよいアルケニル基のアルケニル基部分の炭素数は、３〜２２であることが好ましく、４〜１８であることがより好ましく、８〜１８であることがさらに好ましい。Ｒaが表すアルキル基は直鎖であっても分岐であっても環状であってもよい。
【００３３】
Ｒaで表される置換基を有してもよいアリール基またはヘテロアリール基のアリール基部分の炭素数は、６〜１７であることが好ましく、６〜１２であることがより好ましい。Ｒaが表すアリール基としては、フェニル基、ナフチル基などを挙げることができ、その中でもフェニル基が特に好ましい。また、Ｒaが表すヘテロアリール基としては、例えば、イミダゾリル基、ピリジル基、キノリル基、フリル基、チエニル基、ベンズオキサゾリル基、インドリル基、ベンズイミダゾリル基、ベンズチアゾリル基、カルバゾリル基、アゼピニル基を例示することができる。ヘテロアリール基に含まれるヘテロ原子は、酸素原子、硫黄原子、窒素原子であることが好ましく、中でも、酸素原子であることが好ましい。
【００３４】
中でも、一般式（３）において、Ｒaは置換基を有してもよいアルキル基であることがより好ましい。
【００３５】
Ｒaが有し得る置換基の例には、置換もしくは無置換の炭素数１〜５０のアルキル基（例えば、メチル、エチル、以後いずれも直鎖状もしくは分枝鎖状の、プロピル、ブチル、ペンチル、ヘキシル、ヘプチル、オクチル、ノニル、デシル、ウンデシル、ドデシル、トリデシル、テトラデシル、ペンタデシル、ヘキサデシル、ヘプタデシル、オクタデシル、ノナデシル、エイコシル、ヘンエイコシル、ドコシル、トリコシル、又はテトラコシル）；炭素原子数２〜３５のアルケニル基（例えば、プロペニル、ブテニル、ペンテニル、ヘキセニル、ヘプテニル、オクテニル、ノネニル、デセニル、ウンデセニル、ドデセニル）；炭素原子数３〜１０のシクロアルキル基（例えば、シクロプロピル、シクロブチル、シクロペンチル、シクロヘキシル、シクロヘプチル）；炭素原子数６〜３０の芳香族環基（例えば、フェニル、ナフチル、ビフェニル、フェナントリル、アントラセニル）、複素環基（窒素原子、酸素原子、及び硫黄原子から選ばれる少なくとも１個のヘテロ原子を含む複素環の残基であるのが好ましく、例えば、ピリジル、ピリミジル、トリアジニル、チエニル、フリル、ピロリル、ピラゾリル、イミダゾリル、トリアゾリル、チアゾリル、イミダゾリル、オキサゾリル、チアジアリル、オキサジアゾリル、キノリル、イソキノリル）；又はそれらの組み合わせからなる基を表す。これらの置換基は、可能な場合はさらに１以上の置換基を有してもよく、置換基の例には、アルコキシ基、アルコキシカルボニル基、ハロゲン原子、エ−テル基、アルキルカルボニル基、シアノ基、チオエ−テル基、スルホキシド基、スルホニル基、アミド基などが挙げられる。
【００３６】
また、一般式（３）において、Ｘa1及びＸa2はそれぞれ独立に水素原子、ハロゲン原子又はアルキル基を表し、水素原子又はアルキル基であることがより好ましい。Ｘa1及びＸa2が表すアルキル基の好ましい範囲は、Ｒaで表される置換基を有してもよいアルキル基のアルキル基部分の好ましい範囲と同様である。
【００３７】
一般的（３）において、ｎａ１は２〜４の整数を表し、２又は３の整数であることがより好ましく、２であることがさらに好ましい。
また、ｎａ２は、１〜２０の整数を表し、１〜１５の整数であることがより好ましく、１〜１０の整数であることがさらに好ましく、１〜７の整数であることが特に好ましい。
【００３８】
一般的（３）で表される１価アルコールの炭素数は、４以上であることが好ましく、６以上であることがより好ましく、８以上であることが特に好ましく、１０以上であることがさらに好ましい。このような１価アルコールを用いることにより、各種基油への溶解性が向上し、さらに摩擦特性も改良され、縮合反応時に１価アルコールが揮散することを抑制することができる。
【００３９】
下記に本発明で用いることができる１価アルコールａ４の具体例を示すが、本発明はこれに限定されるものではない。
【００４０】
【化８】
2015160913.tif 000009
【００４１】
縮合物Ａは更に（ａ１）〜（ａ４）成分以外の成分が縮合していてもよい。このような成分としては、２価アルコール（好ましくは炭素数２〜５０の脂肪族２価アルコール）、カルボン酸と縮合してアミド結合を形成可能な１価または他価アミン類が挙げられる。
【００４２】
縮合物Ａは、１種類の化合物からなる純物質であっても、２種以上の化合物の混合物であってもよい。
縮合物Ａは、
３価以上の多価アルコールのアルキレンオキサイド付加物ａ１由来の構造が、２価以上の多価カルボン酸ａ２または２価以上の多価カルボン酸ａ２の前駆体由来の構造を介して、１価アルコールａ４由来の構造と結合した構造（ａ１−ａ２−ａ４）、
及び／又は
２価以上の多価カルボン酸ａ２または２価以上の多価カルボン酸ａ２の前駆体由来の構造が、３価以上の多価アルコールのアルキレンオキサイド付加物ａ１由来の構造を介して、１価カルボン酸ａ３または１価カルボン酸ａ３の前駆体由来の構造と結合した構造（ａ２−ａ１−ａ３）
を含有する純物質または混合物であることが好ましい。縮合物Ａは、上記の構造（ａ１−ａ２−ａ４）および／又は上記の構造（ａ２−ａ１−ａ３）を含む同種または異種の複数の構造が連なりポリマー構造（本明細書中、ポリマー構造はオリゴマー構造を含む）を形成していることが好ましい。すなわち縮合物Ａはポリマーであることが好ましい。
上記の構造（ａ１−ａ２−ａ４）および／又は上記の構造（ａ２−ａ１−ａ３）を含む同種または異種の複数の構造が連なりポリマー構造を形成した縮合物が、さらに３価以上の多価アルコールのアルキレンオキサイド付加物ａ１由来の構造２つ以上が、２価以上の多価カルボン酸ａ２または２価以上の多価カルボン酸ａ２の前駆体由来の構造を介して結合した構造（ａ１−ａ２−ａ１）をポリマー構造の一部に含有していてもよい。
このような構造の縮合物Ａは、以下に示す製造方法などにより合成することができる。
【００４３】
（縮合物Ａの製造方法、同定方法）
縮合物Ａは少なくとも３価以上の多価アルコールが有するヒドロキシル基の少なくとも１つにアルキレンオキサイドが付加してなる３価以上の多価アルコールのアルキレンオキサイド付加物ａ１と、２価以上の多価カルボン酸ａ２または２価以上の多価カルボン酸ａ２の前駆体と、１価カルボン酸ａ３、１価カルボン酸ａ３の前駆体および１価アルコールａ４のうち少なくとも１種との縮合反応を行うことによって得られる。
【００４４】
縮合反応を行う際の仕込み比としては、少なくとも前記（ａ１）〜（ａ４）成分を、全カルボン酸および全アルコールのカルボキシル基／水酸基のｍｏｌ比で２／１〜１／２で縮合させることが好ましく、より好ましくはｍｏｌ比で１．５／１〜１／１．５、更に好ましくは１／１〜１／１．３、特に好ましくは１／１〜１／１．２である。アルコールを過剰に用いた方が縮合物の酸価を低くすることができ、潤滑剤として用いた際に部材へのダメージを抑制できる。
全カルボン酸中における（ａ２）成分／（ａ３）成分の比率はカルボキシル基のｍｏｌ比で１／０〜１／２０が好ましい。（ａ４）が０の場合、（ａ２）成分／（ａ３）成分の比率はカルボキシル基のｍｏｌ比で１．５／１〜１／１０が好ましく、１／１〜１／５がより好ましい。
全アルコール中における（ａ１）成分／（ａ４）成分の比率は水酸基のｍｏｌ比で１／０〜１／２０が好ましい。（ａ３）が０の場合、（ａ１）成分／（ａ４）成分の比率は水酸基のｍｏｌ比で１．５／１〜１／１０が好ましく、１．５／１〜１／２がより好ましい。
ただし、縮合物Ａの製造に用いられる（ａ３）成分および（ａ４）成分が同時に０となることはない。
【００４５】
上記のようにして仕込んだ混合物を、触媒または縮合剤存在下もしくは無触媒で、縮合反応をすることで、縮合物Ａが得られる。
縮合の際は、加熱するか、水または低分子アルコールと共沸する溶媒を適量存在させることが望ましい。これにより生成物が着色することなく、反応もスムーズに進行する。この溶媒は沸点１００〜２００℃の炭化水素系溶媒が好ましく、１００〜１７０℃の炭化水素系溶媒がさらに好ましく、１１０〜１６０℃の炭化水素系溶媒が最も好ましい。これらの溶媒として、例えばトルエン、キシレン、メシチレンなどがあげられる。添加する量は、多すぎると液温がその溶媒付近となり、縮合が進行しにくくなる。一方、少なすぎると、共沸がスムーズに行かない。したがって、添加量は、原料全量に対し、１〜２５質量％が好ましく、２〜２０質量％がさらに好ましく、３〜１５質量％が特に好ましく、５〜１２質量％も好ましい。
【００４６】
触媒を用いることで、反応が加速されるが、触媒除去の後処理が煩雑であり、生成物の着色の原因となることから、用いないことが望ましい。しかし、用いる場合は、通常の触媒で通常の条件と操作が使用される。これに関しては、特表２００１−５０１９８９号公報、特表２００１−５００５４９号公報、特表２００１−５０７３３４号公報、及び特表２００２−５０９５６３号公報中の参考文献を参照することができる。
【００４７】
仕込み終了後、液温１２０〜２５０℃、好ましくは１３０〜２３０℃、さらに好ましくは１５０〜２３０℃、特に好ましくは１７０〜２３０℃で反応させる。これにより水または低分子アルコールを含む溶媒が共沸され、冷却部位で冷却され、液体となることで分離される。この水は除去されればよい。低温で反応した後に更に高温で反応させてもよい。
【００４８】
反応時間は、仕込みのモル数より理論発生水量が計算されるので、この水量が得られる時点まで反応を行うことが好ましいが、完全に反応を完結させることは困難である。理論水発生量が６０〜９０％の時点で反応を終了しても、得られた縮合物Ａを含有する潤滑剤組成物の潤滑性は良好である。反応時間は１〜２４時間であり、好ましくは３〜１８時間、さらに好ましくは５〜１８時間、最も好ましくは６〜１５時間である。
このようにして得られた縮合反応混合物中には、ａ１とａ２とａ３及び／又はａ４の全てが反応した縮合物Ａの他に、縮合物Ａ以外のその他の縮合物（例えばａ１とａ２のみが反応した縮合物、ａ１とａ３のみが反応した縮合物、ａ２とａ４のみが反応した縮合物などの構成成分の一部のみが反応した縮合物）も含まれていてもよい。
【００４９】
縮合物Ａの４０℃における動粘度は、５０〜２０００ｍｍ2／ｓであることが好ましい。縮合物Ａの４０℃における動粘度は、５０ｍｍ2／ｓ以上であることが好ましく、７０ｍｍ2／ｓ以上であることがより好ましく、１００ｍｍ2／ｓ以上であることがさらに好ましい。また、縮合物Ａの４０℃における動粘度は、２０００ｍｍ2／ｓ以下であることが好ましく、１５００ｍｍ2／ｓ以下であることがより好ましく、１０００ｍｍ2／ｓ以下であることがさらに好ましい。縮合物Ａの動粘度を上記範囲内とすることにより、組成物の摩擦係数を低く抑えることができ、これにより潤滑性を高めることができる。本明細書中、縮合物Ａの４０℃における動粘度は具体的には、ウベローデ粘度計を用い、４０．０℃の恒温水槽中で測定した値を採用する。
【００５０】
縮合物Ａの分子量はゲルパミエーションクロマトグラフィー（ＧＰＣ）を用いた標準ポリスチレン換算の重量平均分子量で１０００〜１０００００が好ましく、２０００〜２００００がより好ましく、３０００〜１００００が更に好ましい。分子量を適正範囲とすることで、低粘度で良好な潤滑特性が得られる。本明細書中、縮合物Ａのポリスチレン換算の重量平均分子量は具体的には、以下の条件で測定した値を採用する。
「ＨＬＣ−８２２０ＧＰＣ（東ソー（株）社製）装置」。カラムは「ＴＳＫｇｅｌ、ＳｕｐｅｒＨＺＭ−Ｈ（東ソー（株）社製、４．６ｍｍＩＤ×１５ｃｍ）」、「ＴＳＫｇｅｌ、ＳｕｐｅｒＨＺ４０００（東ソー（株）社製、４．６ｍｍＩＤ×１５ｃｍ）」、ＴＳＫｇｅｌ、ＳｕｐｅｒＨＺ２０００（東ソー（株）社製、４．６ｍｍＩＤ×１５ｃｍ）」を３本用いた。
【００５１】
ＧＰＣの条件としては、例えば、下記の条件を採用することができる。
・溶離液  ＴＨＦ
・流速  ０．３５ｍｌ／ｍｉｎ
・測定温度    ４０℃（カラム、インレット、ＲＩ）
・分析時間    ２０分
・試料濃度    ０．１％
・サンプル注入量    １０μｌ
【００５２】
本発明では、縮合物Ａには未反応のＣＯＯＨが残存していてもよく、また、ＯＨが存在していてもよいが、ＯＨ及びＣＯＯＨが残存すると、水酸基価と酸価が上がり、用途によっては好ましくない場合もある。このような場合、別途アシル化、及び／又はエステル化処理により、ＯＨ及びＣＯＯＨを消失させ、水酸基価と酸価を低減することもできる。
縮合物Ａの未反応のＯＨ基の割合は、13Ｃ−ＮＭＲを測定することで判明する。潤滑剤の用途では、縮合物ＡのＯＨ基の残存率は０〜４０％であることが好ましく、０〜３５％であることがより好ましく、０〜３０％であることがさらに好ましい。
また、潤滑剤の用途では、縮合物Ａの酸価（サンプル１ｇを中和するのに要するＫＯＨのｍｇ数）は、０〜５０ｍｇ  ＫＯＨであることが好ましく、０〜３０ｍｇ  ＫＯＨであることがより好ましく、０〜２０ｍｇ  ＫＯＨであることがさらに好ましい。但し、この範囲に制限されるものではない。本明細書中、縮合物Ａの酸価（サンプル１ｇを中和するのに要するＫＯＨのｍｇ数）は具体的には、ＪＩＳＫ２５０１法に従い測定した値を用いた。
【００５３】
反応及び反応後の処理が終了した後、ろ過を行い、ゴミなどを除去することが好ましい。なお、生成物が固体となった場合は、溶融してとりだすか、あるいは再沈殿により粉体として取り出すこともできる。
【００５４】
＜潤滑剤組成物の縮合物Ａ以外の成分＞
本発明は、縮合物Ａを少なくとも含有する潤滑剤組成物に関するものである。例えば、本発明の潤滑剤組成物には、縮合物Ａ、縮合物Ａ以外のその他の縮合反応混合物と各種添加剤及び／または媒体を添加することができる。
ここで縮合物Ａ以外のその他の縮合反応混合物とは、少なくとも３価以上の多価アルコールが有するヒドロキシル基の少なくとも１つにアルキレンオキサイドが付加してなる３価以上の多価アルコールのアルキレンオキサイド付加物ａ１と、２価以上の多価カルボン酸ａ２または２価以上の多価カルボン酸ａ２の前駆体と、１価カルボン酸ａ３、１価カルボン酸ａ３の前駆体および１価アルコールａ４のうち少なくとも１種と、の縮合反応を行った場合に得られる縮合反応混合物のうち、縮合物Ａ以外の成分のことを言う。縮合物Ａ以外のその他の反応混合物としては、前記縮合物Ａ以外のその他の縮合物などを挙げることができる。
縮合物Ａは全潤滑剤組成物中、０．０１〜１００質量％が好ましく、０．０１〜２０質量％がより好ましく、０．０５〜５質量％が特に好ましく、０．１〜３質量％がより特に好ましい。縮合物Ａは媒体に少量添加するだけで良好な潤滑特性を発現する。
本発明の潤滑剤組成物の特に好ましい様態としては、全潤滑剤組成物に対し、縮合物Ａの割合が０．１〜２０質量％、媒体の割合が７０〜９９．９質量％、前記縮合物Ａおよび前記媒体以外の他の成分の割合が０〜２９．９質量％である、潤滑剤組成物である。
なお、縮合物Ａと縮合物Ａ以外のその他の縮合物を含む縮合反応混合物から、縮合物Ａを精製せずに、縮合反応混合物の全体を本発明の潤滑剤組成物に用いてもよい。その場合における本発明の潤滑剤組成物に対する「縮合反応混合物」の割合の好ましい範囲は、本発明の潤滑剤組成物に対する縮合物Ａの割合の好ましい範囲と同様である。すなわち、その場合における本発明の潤滑剤組成物の好ましい態様としては、縮合反応混合物の割合が０．１〜２０質量％、媒体の割合が７０〜９９．９質量％、前記縮合反応混合物前記媒体以外の他の成分の割合が０〜２９．９質量％である、潤滑剤組成物である。
なお、縮合物Ａ以外のその他の縮合反応混合物としては、縮合物Ａ以外のその他の縮合物を挙げることができる。
【００５５】
前記媒体以外の他の成分、すなわち添加剤としては、例えば、摩耗防止剤、粘度指数向上剤（好ましくはポリアルキル（メタ）アクリレート、アルキル（メタ）アクリレート−極性基を有する（メタ）アクリレート共重合体）、酸化防止剤（好ましくはフェノール化合物、アミン化合物）、清浄剤（好ましくはＣａスルホネート、Ｃａフェネート、Ｍｇスルホネート、Ｃａサリチレート、（ホウ酸変性）コハク酸イミド、コハク酸エステル）、分散剤、流動剤、硬化剤、腐食防止剤、シール適合剤、消泡剤（好ましくはポリジメチルシリコーン）、錆防止剤、腐食防止剤、摩擦調整剤、及び増ちょう剤から選択される１種又は２種以上を挙げることができる。
このような添加剤を添加することにより、摩耗抑制等の潤滑剤としての好ましい機能を付与することができる。本発明において用いることができる添加剤については、特開２０１１−８９１０６号公報の段落〔００９８〕〜〔０１６５〕の記載を参照することができる。
前記縮合物Ａおよび前記媒体以外の他の成分として好ましい化合物、すなわち本発明の潤滑剤組成物への好ましい添加剤としては亜鉛、モリブデン、硫黄およびリンのうち少なくとも１種を有する化合物である。このような化合物は、摩擦調整剤、磨耗防止剤、酸化防止剤などの機能を有する。亜鉛、モリブデン、硫黄およびリンのうち少なくとも１種を構成元素として有する化合物とは、化合物中に亜鉛、モリブデン、硫黄およびリンをいかなる状態で含んでもよい化合物を意味する。具体的には亜鉛、モリブデン、硫黄およびリンが、単体（酸化数０）、イオン、錯体などとして含まれる化合物を挙げることができる。
このような化合物としては、有機モリブデン化合物、無機モリブデン化合物、有機亜鉛化合物、リン酸誘導体、有機硫黄化合物などが挙げられる。その中でも有機モリブデン化合物および有機亜鉛化合物が好ましい。
また、亜鉛、モリブデン、硫黄およびリンのうち少なくとも１種を構成元素として有する化合物は、１種のみを本発明の潤滑剤組成物に添加してもよく、２種以上を組み合わせて本発明の潤滑剤組成物に添加してもよい。亜鉛、モリブデン、硫黄およびリンのうち少なくとも１種を構成元素として有する化合物を２種以上を組み合わせて本発明の潤滑剤組成物に添加する場合は、有機モリブデン化合物、無機モリブデン化合物、有機亜鉛化合物、リン酸誘導体および有機硫黄化合物のうち２種以上を組み合わせることが好ましく、有機モリブデン化合物および有機亜鉛化合物を組み合わせることがより好ましい。
以下、有機モリブデン化合物、無機モリブデン化合物、有機亜鉛化合物のそれぞれの好ましい態様について説明する。
潤滑剤組成物に添加剤として用いられる有機モリブデン化合物としては、モリブデンジチオホスフェート（ＭｏＤＴＰと言われることもある）等のリンを含有する有機モリブデン化合物を挙げることができる。
別の有機モリブデン化合物としては、モリブデンジチオカーバメート（ＭｏＤＴＣと言われることもある）等の硫黄を含有する有機モリブデン化合物を挙げることができる。硫黄を含有する有機モリブデン化合物としては、例えば、硫化オキシモリブデン−Ｎ，Ｎ−ジ−オクチルジチオカルバメート（Ｃ8−Ｍｏ（ＤＴＣ））、硫化オキシモリブデン−Ｎ，Ｎ−ジ−トリデシルジチオカルバメート（Ｃ16−Ｍｏ（ＤＴＣ）などが好ましい。
その他の硫黄を含有する有機モリブデン化合物としては、無機モリブデン化合物との錯体を挙げることができる。無機モリブデン化合物と硫黄含有有機化合物との錯体である有機モリブデン化合物に用いられる無機モリブデン化合物としては、例えば、二酸化モリブデン、三酸化モリブデン等の酸化モリブデン、オルトモリブデン酸、パラモリブデン酸、（ポリ）硫化モリブデン酸等のモリブデン酸、これらモリブデン酸の金属塩、アンモニウム塩等のモリブデン酸塩、二硫化モリブデン、三硫化モリブデン、五硫化モリブデン、ポリ硫化モリブデン等の硫化モリブデン、硫化モリブデン酸、硫化モリブデン酸の金属塩またはアミン塩、塩化モリブデン等のハロゲン化モリブデン等を挙げることができる。また、無機モリブデン化合物と硫黄含有有機化合物との錯体である有機モリブデン化合物に用いられる硫黄含有有機化合物としては、例えば、アルキル（チオ）キサンテート、チアジアゾール、メルカプトチアジアゾール、チオカーボネート、テトラハイドロカルビルチウラムジスルフィド、ビス（ジ（チオ）ハイドロカルビルジチオホスホネート）ジスルフィド、有機（ポリ）サルファイド、硫化エステル等を挙げることができる。
その他の硫黄を含有する有機モリブデン化合物としては、硫化モリブデン、硫化モリブデン酸等の硫黄含有モリブデン化合物とアルケニルコハク酸イミドとの錯体等を挙げることができる。
【００５６】
有機モリブデン化合物としては、構成元素としてリンや硫黄を含まない有機モリブデン化合物を用いることができる。構成元素としてリンや硫黄を含まない有機モリブデン化合物としては、具体的には、モリブデン−アミン錯体、モリブデン−コハク酸イミド錯体、有機酸のモリブデン塩、アルコールのモリブデン塩などが挙げられ、中でも、モリブデン−アミン錯体、有機酸のモリブデン塩およびアルコールのモリブデン塩が好ましい。
【００５７】
潤滑剤組成物に添加剤として用いられる無機モリブデン化合物としては、無機モリブデン化合物と硫黄含有有機化合物との錯体である有機モリブデン化合物に用いられる無機モリブデン化合物の例として挙げたものと同様である。
【００５８】
潤滑剤組成物に添加剤として用いられる有機亜鉛化合物としては、下記一般式（４）で表わされるジンクジチオホスフェート（ＺＤＴＰ）が好ましい。
【００５９】
一般式（４）
【化９】
2015160913.tif 000010
【００６０】
一般式（４）中、Ｑ1、Ｑ2、Ｑ3、Ｑ4は各々同じでも異なっていてもよく、それぞれ独立にイソプロピル基、ブチル基、イソブチル基、ペンチル基、イソペンチル基、ネオペンチル基、ヘキシル基、ヘプチル基、オクチル基、２−エチルヘキシル基、ノニル基、デシル基、ウンデシル基、ドデシル基、トリデシル基、イソトリデシル基、ミスチル基、パルミチル基、ステアリル基等の炭素数８〜２０のアルキル基を表す。
一般式（４）で表わされるジンクジチオホスフェートとしては、具体的にはｎ−ブチル−ｎ−ペンチルジチオリン酸亜鉛（Ｃ4／Ｃ5  ＺｎＤＴＰ）、ジ−２−エチルヘキシルジチオリン酸亜鉛（Ｃ8 ＺｎＤＴＰ）又はイソプロピル−１−エチルブチルジチオリン酸亜鉛（Ｃ3／Ｃ6  ＺｎＤＴＰ）であることが好ましい。
【００６１】
本発明の潤滑剤組成物において、有機モリブデン化合物を用いる場合、その含有量は、潤滑剤組成物全質量に対して、１０〜１０００ｐｐｍ含まれていることが好ましく、５０〜８００ｐｐｍ含まれていることがより好ましく、１００〜６００ｐｐｍ含まれていることがさらに好ましい。
また、有機亜鉛化合物を用いる場合、その含有量は潤滑剤組成物全質量に対して、０．０１〜５質量％含まれていることが好ましく、０．０１〜３質量％含まれていることがより好ましく、０．０１〜１質量％含まれていることがさらに好ましい。
本発明の潤滑剤組成物中の有機モリブデン化合物や有機亜鉛化合物などの有機金属化合物の含有量を上記範囲内とすることにより、潤滑剤組成物の安定性を高めることができ、高温および／または高圧といった過酷条件での潤滑性を改善でき、より優れた潤滑性能、磨耗抑制能を発揮することができる。
【００６２】
また、媒体としては、鉱物油、油脂化合物、ポリオレフィン油（例えばポリアルファオレフィン）、シリコーン油、パーフルオロポリエーテル油、エステル油（例えば芳香族エステル油、１価脂肪酸エステル、２価脂肪酸ジエステル、ポリオールエステル潤滑油）、ジフェニルエーテル誘導体から選択される１種又は２種以上を挙げることができる。
本発明において、「媒体」とは、一般的に「流動性液体」とよばれる媒体の全てを意味するものである。但し、室温又は使用される温度において、液状であることは必要とせず、液体以外にも固体及びゲル等のいずれの形態の材料も利用することができる。本発明において利用する媒体については特に制限はなく、用途に応じて種々の液体から選択することができる。本発明において用いることができる媒体については、特開２０１１−８９１０６号公報の段落〔００６７〕〜〔００９６〕の記載を参照することができる。媒体の４０℃における動粘度は１〜５００ｍｍ2／ｓが好ましく、１．５〜２００ｍｍ2／ｓがより好ましく、２〜５０ｍｍ2／ｓが更に好ましい。
媒体の粘度指数は９０以上であることが好ましく、より好ましくは１０５以上、更に好ましくは１１０以上である。また１６０以下であることが好ましい。粘度指数を上記範囲内とすることにより、粘度−温度特性および熱・酸化安定性、揮発防止性が良化し、摩耗防止性が向上する。
なお、本発明でいう粘度指数とは、ＪＩＳ  Ｋ  ２２８３−１９９３に準拠して測定された粘度指数を意味する。
【００６３】
＜潤滑剤組成物の性質＞
本発明の潤滑剤組成物は、４０℃での動粘度が２０００ｍｍ2／ｓ以下であるのが好ましく、１０００ｍｍ2／ｓ以下であることがより好ましく、２００ｍｍ2／ｓ以下であることがさらに好ましく、５０ｍｍ2／ｓ以下であることが特に好ましい。粘性は、使用環境により適正な粘性が求められるため、それに合わせることが必要である。本明細書中、潤滑剤組成物の４０℃での動粘度は具体的には、ウベローデ粘度計を用い、４０．０℃の恒温水槽中で測定した値を採用する。
【００６４】
本発明の潤滑剤組成物は、構成元素が、炭素、水素、酸素及び窒素だけからなることが好ましく、炭素、水素及び酸素のみからで構成することがさらに好ましい。また、油性媒体として用いる油も、炭素、水素及び酸素のみから構成される材料は種々ある。これらを組み合わせることにより、構成元素が、炭素、水素、酸素及び窒素だけからなる潤滑剤組成物を調製することができる。
なお、現行の潤滑油は、通常、リン、硫黄、重金属を含んでいる。燃料と共に潤滑油も燃焼する２ストロークエンジンに用いられる潤滑油は、環境負荷を配慮して、リンと重金属は含まれないが、硫黄は４ストロークエンジンに用いられる潤滑油の半分量程度含まれている。即ち、現行の潤滑技術では、最低でも硫黄分による境界潤滑膜の形成は必須であると推察されるが、硫黄元素を含んでいることによって、排気ガス浄化のための触媒への負荷は非常に大きい。この排気ガス浄化触媒には、プラチナやニッケルが使用されているが、リンや硫黄の被毒作用は大きな問題になっている。その点からも潤滑油の組成物を構成する元素が、炭素、水素、酸素及び窒素だけからなることのメリットは非常に大きい。さらに炭素、水素、酸素だけからなることはエンジンオイル以外の産業機械、特に食品製造関連機器の潤滑油には最適である。現行技術では、摩擦係数を犠牲にして環境に配慮した元素組成をとっている。これは、冷却のために大量の水を必要とする金属の切削・加工用潤滑油にも非常に好ましい技術である。
【００６５】
＜潤滑剤組成物の調製方法＞
本発明の潤滑剤組成物は、縮合物Ａを、油性媒体中もしくは水性媒体中に添加し、溶解及び／又は分散させることで調製することができる。溶解及び／又は分散は、加温下で行ってもよい。
【００６６】
＜潤滑剤組成物の用途＞
本発明の潤滑剤組成物は、潤滑剤として有用である。すなわち、本発明は、上述した縮合物Ａ又は上述した潤滑剤組成物を含む潤滑剤組成物に関するものでもある。
本発明の潤滑剤組成物は、例えば、２つの摺動面間に供給され、摩擦を低減するために用いることができる。本発明の潤滑剤組成物は、摺動面に皮膜を形成し得る。摺動面の材質としては、鋼鉄では、具体的には、機械構造用炭素鋼、ニッケルクロム鋼材・ニッケルクロムモリブデン鋼材・クロム鋼材・クロムモリブデン鋼材・アルミニウムクロムモリブデン鋼材などの構造機械用合金鋼、ステンレス鋼、マルチエージング鋼などが挙げられる。
【００６７】
摺動面の材質としては、鋼鉄以外の各種金属、又は金属以外の無機もしくは有機材料も広く用いられる。金属以外の無機もしくは有機材料としては、各種プラスチック、セラミック、カーボン等、及びその混合体などが挙げられる。より具体的には、鋼鉄以外の金属材料としては、鋳鉄、銅・銅−鉛・アルミニウム合金、その鋳物及びホワイトメタルが挙げられる。
なお、摺動面の材質については、特開２０１１−８９１０６号公報の段落〔０１６８〕〜〔０１７５〕の記載を参照することができる。
【００６８】
本発明の潤滑剤組成物は、種々の用途に利用できる。例えば、グリース用潤滑油、離型剤、内燃機関用エンジンオイル、金属加工用（切削用）オイル、軸受け用オイル、燃焼機関用燃料、車両エンジン油、ギヤ油、自動車用作動油、船舶・航空機用潤滑油、マシン油，タービン油、軸受用オイル、油圧作動油、圧縮機・真空ポンプ油、冷凍機油、金属加工用潤滑油剤、磁気記録媒体用潤滑剤、マイクロマシン用潤滑剤、人工骨用潤滑剤、ショックアブソーバ油又は圧延油として用いることができる。さらに、往復動式や回転式の密閉型圧縮機を有するエアコンや冷蔵庫、自動車用エアコンや除湿機、冷凍庫、冷凍冷蔵倉庫、自動販売機、ショーケース、化学プラント等の冷却装置などにも用いられる。
【００６９】
塩素系化合物を含まない金属加工用潤滑油剤として、例えば鉄鋼材料やＡｌ合金などの金属材料を熱間圧延したり、切削等の加工を行ったりする際に、またアルミニウムの冷間圧延油、切削油、研削油、引き抜き加工油、プレス加工油等の金属加工油や金属の塑性加工油として、特に高速、高負荷加工時の摩耗、破損、表面あれの抑止剤として、またブローチ加工、ガンドリル加工のような低速・重切削に適用可能な金属加工油組成物としても有用である。
また各種グリース用潤滑油、磁気記録媒体用潤滑剤、マイクロマシン用潤滑剤や人工骨用潤滑剤等に利用することができる。また、組成物の元素組成を炭水化物とすることができるため、例えば、乳化、分散化、可溶化剤としてケーキミックス、サラダドレッシング、ショートニングオイル、チョコレート等に広く利用されている、ポリオキシエチレンエーテルを含むソルビタン脂肪酸エステルを食用油を基油とした組成物を潤滑油とすることで、全く人体に無害の高性能潤滑油を食品製造ラインの製造機器や医療機器部材の潤滑に用いることができる。
さらに、本発明の潤滑剤組成物を水系に乳化して分散したり、極性溶媒中や樹脂媒体中に分散したりすることで、切削油や圧延油として用いることができる。
【００７０】
また、本発明の潤滑剤組成物は離型剤としても、種々の用途に利用できる。例えば、ポリカーボネート樹脂、難燃性ポリカーボネート樹脂、電子写真装置や静電記録装置などで使用される画像形成用トナーの主成分である結晶性ポリエステル樹脂、各種成形用熱可塑性樹脂組成物及び半導体封し用エポキシ樹脂組成物などの離型剤として用いられる。離型剤の一態様は、ポリカーボネート樹脂等の樹脂１００質量部に対して、縮合物Ａを０．０１〜１０質量部（好ましくは０．１〜５質量部）含有する態様である。
また、衣料などの繊維製品に予め練り込んだり、塗布したりすることにより、該繊維製品に付着した汚れの離脱を促進して繊維製品の汚れを防止する防汚剤としても用いることができる。
【実施例】
【００７１】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【００７２】
［合成例］
（合成例１）縮合物Ａ１の合成
下記表１に示すｍｏｌ比でトリエチレングリコールモノエチルエーテルａ４−４（東京化成社製）、無水コハク酸ａ２−５（和光純薬社製）、及びトルエン（原料混合物に対して７質量％）をディーンシュターク脱水装置がついた反応容器に仕込んだ。液温１２０℃で加熱し、４時間攪拌した。ペンタエリスリトールのエチレンオキシド付加物ａ１−３（Ａｌｄｒｉｃｈ社製、平均分子量７９７）を添加し、０．３Ｌ／ｍｉｎの窒素気流下、液温１７０〜１９０℃で１２時間攪拌した。この間トルエンが還流され、これにより水が除去された。反応系中を減圧とし、揮発分を除去した。液温を室温にし、ろ過した。無色透明のオイルとして縮合物Ａ１を得た。
【００７３】
（合成例２）縮合物Ａ２の合成
トリメチロールプロパンのエチレンオキシド付加物ａ１−１（Ａｌｄｒｉｃｈ社製、平均分子量４５０）、Ｃ２２の不飽和脂肪酸の２量体ａ２−１（ＣＲＯＤＡ社製、ＰＲＩＰＯＬ１００４）、ジエチレングリコールモノ−２−エチルヘキシルエーテルａ４−１（和光純薬工業社製）をｍｏｌ比で１．１７／３／３．５の比率でディーンスターク脱水装置がついた反応容器に仕込んだ。０．３Ｌ／ｍｉｎの窒素気流下１９０℃で５時間、更に２２０℃で４時間反応した。反応中に発生した水は除去した。室温まで放冷、黄色透明の液状物として縮合物Ａ２を得た。縮合物Ａ２を合成するときに得られた縮合反応混合物中には、縮合物Ａ２を含むポリマー成分が約６５％、Ｃ２２の不飽和脂肪酸の２量体ａ２−１がジエチレングリコールモノ−２−エチルヘキシルエーテルａ４−１二分子と反応したジエステルが約３０％、未反応のジエチレングリコールモノ−２−エチルヘキシルエーテルが約５％含まれていた。
【００７４】
（合成例３）比較用化合物Ｘ１の合成
ペンタエリスリトールのエチレンオキシド付加物ａ１−３のかわりにペンタエリスリトールｘ２を用いた以外は合成例１と同じ手法を用いて比較用化合物Ｘ１を得た。この比較用化合物Ｘ１は、特開２０１１−８９１０６号公報の実施例１に記載の化合物である。
【００７５】
（合成例４）比較用化合物Ｘ２の合成
トリメチロールプロパンのエチレンオキシド付加物の代わりにトリメチロールプロパンを用いた他は合成例２と同じ手法で比較用化合物Ｘ２を合成した。比較用化合物Ｘ２中には未反応のジエチレングリコールモノ−２−エチルヘキシルエーテルが約５％含まれていた。
【００７６】
（他の縮合物Ａ）
他の縮合物Ａについては下記表１に記載したａ１〜ａ４を、表１に記載したｍｏｌ比となるように混合した他は合成例２と同じ手法で他の縮合物Ａを合成した。
このような合成方法を用いることで、各縮合物Ａは、
３価以上の多価アルコールのアルキレンオキサイド付加物ａ１由来の構造が、２価以上の多価カルボン酸ａ２または２価以上の多価カルボン酸ａ２の前駆体由来の構造を介して、１価アルコールａ４由来の構造と結合した構造、
及び／又は
２価以上の多価カルボン酸ａ２または２価以上の多価カルボン酸ａ２の前駆体由来の構造が、３価以上の多価アルコールのアルキレンオキサイド付加物ａ１由来の構造を介して、１価カルボン酸ａ３または１価カルボン酸ａ３の前駆体由来の構造と結合した構造
を含有する純物質または混合物となる。
各縮合物Ａのポリスチレン換算の重量平均分子量Ｍｗは３０００〜１００００であり、酸価は２０ｍｇＫＯＨ／ｇ以下であった。
また、各縮合物Ａの合成に用いた材料を以下に示す。
【００７７】
本発明に用いられる３価以上の多価アルコールのアルキレンオキサイド付加物ａ１；
【化１０】
2015160913.tif 000011
ａ１−１は、平均Ｍｎ＝４５０、ｙ１１＋ｙ１２＋ｙ１３＝平均で７の化合物である。
ａ１−２は、平均Ｍｎ＝１０１４、ｙ２１＋ｙ２２＋ｙ２３＝平均で２０の化合物である。
ａ１−３は、平均Ｍｎ＝７９７、ｙ３１＋ｙ３２＋ｙ３３＋ｙ３４＝平均で１５の化合物である。
ａ１−４は、平均Ｍｎ＝７２５、Ｙ1、Ｙ2のいずれかがメチル基、ｙ３１＋ｙ３２＋ｙ３３＋ｙ３４＝平均で１１の化合物である。
【００７８】
比較化合物用の多価アルコールまたは２価アルコールのアルキレンオキサイド付加物；
【化１１】
2015160913.tif 000012
ｘ３は、平均Ｍｎ＝４５０、ｙ１０１＋ｙ１０２＝平均で８の化合物である。
【００７９】
２価以上の多価カルボン酸ａ２または２価以上の多価カルボン酸ａ２の前駆体；
ａ２−１は、Ｃ２２不飽和カルボン酸の二量体、ＣＲＯＤＡ（株）製ＰＲＩＰＯＬ１００４である。
ａ２−２は、ダイマー酸（Ｃ１８不飽和カルボン酸の二量体）、築野食品（株）製ツノダイム３９５である。
【化１２】
2015160913.tif 000013
【００８０】
１価カルボン酸ａ３、１価カルボン酸ａ３の前駆体；
【化１３】
2015160913.tif 000014
【００８１】
１価アルコールａ４；
【化１４】
2015160913.tif 000015
ａ４−５は、ｙ５１＝平均で５の化合物である。
ａ４−６は、ｙ５２＝平均で５の化合物である。
ａ４−８は、ｙ５３＝平均で５の化合物である。
【００８２】
【表１】
2015160913.tif 000016
【００８３】
［実施例ｃ１０１〜ｃ１２２および比較例ｄ１０１〜ｄ１０８］
本発明の規定を満たす縮合物Ａおよび比較用化合物と、以下の媒体とを、下記表２の比率で混合し、更に金属系清浄剤としてカルシウムスルホネート２．０質量％を添加して８０℃でよく攪拌し、潤滑剤組成物を調製した。
Ｂ１：鉱油（ＪＸ日鉱日石エネルギー社製スーパーオイルＮ４６）
Ｂ２：ＰＡＯ油（ＡＮＤＥＲＯＬ社製  ＡＮＤＥＲＯＬ  ＦＧＣ  ３２）
Ｂ３：エステル油（ＡＮＤＥＲＯＬ社製  ＡＮＤＥＲＯＬ  ４９５）
得られた潤滑剤組成物を実施例ｃ１０１〜ｃ１２２および比較例ｄ１０１〜ｄ１０８の潤滑剤組成物とした。
なお、本発明の潤滑剤組成物は、媒体を用いない実施例ｃ１０１、ｃ１１１、比較例ｄ１０４、ｄ１０８は４０℃での動粘度が１００〜１０００ｍｍ2／ｓであり、媒体を用いたその他の実施例、比較例ではいずれも４０℃での動粘度が３０ｍｍ2／ｓ〜５０ｍｍ2／ｓであることを、本明細書中に記載の方法で確認した。
【００８４】
［評価］
試験例：内燃機関用潤滑油としての評価
＜摩擦係数評価＞
各実施例および比較例の潤滑剤組成物について、振動型摩擦摩耗試験機（Ｏｐｔｉｍｏｌ  Ｉｎｓｔｒｕｍｅｎｔｓ  Ｐｒｕｅｆｔｅｃｈｎｉｋ  ＧｍｂＨ社製、商品名：ＳＲＶ  ３）を用いて、振動数５０Ｈｚ、振幅１．０ｍｍ、下記表２記載の荷重、温度条件にて試験時間３０分おける摩擦係数を測定した。上部試験片は１０ｍｍＳＵＪ−２ボール、下部試験片２４ｍｍＳＵＪ−２ディスクを用いた。観測した摩擦係数を以下の基準にしたがって評価した。その結果を下記表２に示した。
荷重が高いほど、また、温度が高いほど過酷な条件となる。
摩擦係数が小さいほど、良好な潤滑特性であることを表す。実用上、Ａ、Ｂ、ＣまたはＤ評価であることが求められる。
Ａ：摩擦係数＜０．１２
Ｂ：０．１２≦摩擦係数＜０．１５
Ｃ：０．１５≦摩擦係数＜０．１８
Ｄ：０．１８≦摩擦係数＜０．２０
Ｅ：摩擦係数≧０．２０
【００８５】
＜磨耗痕径評価＞
また、２００Ｎ／１２０℃での摩擦磨耗試験後の試験片として用いた１０ｍｍＳＵＪ−２ボールの磨耗痕の直径を比較例ｄ１０１の磨耗痕直径を１００％として規格化し、以下の基準にしたがって評価した。その結果を下記表２に示した。
値が小さいほど磨耗が少ないことを表す。ａ〜ｃは磨耗痕が小さく改良が見られた。ｄは比較例ｄ１０１同等またはそれ以下で改良が見られなかったと判断した。実用上、ａまたはｂ評価であることが求められる。
ａ：５０％未満
ｂ：５０％以上、７０％未満
ｃ：７０％以上、９５％未満
ｄ：９５％以上
【００８６】
【表２】
2015160913.tif 000017
【００８７】
上記表２より、本発明の潤滑剤組成物は、高温および／または高圧といった過酷条件での潤滑性に優れることがわかった。
一方、比較例ｄ１０１〜ｄ１０３より、縮合物Ａを添加せずに媒体としてのベースオイルのみを用いた潤滑剤組成物は、過酷条件での潤滑性に劣ることがわかった。
比較例ｄ１０４、ｄ１０５およびｄ１０７より、アルキレンオキサイドが付加していない点で本発明の範囲外である３価以上の多価アルコールｘ１またはｘ２を縮合材料として用いた縮合物を用いた潤滑剤組成物は、過酷条件での潤滑性に劣ることがわかった。
比較例ｄ１０６より、本発明の多価アルコールの価数の下限値を下回る２価の多価アルコールにアルキレンオキサイドが付加したｘ３を縮合材料として用いた縮合物を用いた潤滑剤組成物は、過酷条件での潤滑性に劣ることがわかった。
比較例ｄ１０８より、２価以上の多価カルボン酸ａ２または２価以上の多価カルボン酸ａ２の前駆体を縮合材料として含まない点で本発明の範囲外である縮合物を用いた潤滑剤組成物は、過酷条件での潤滑性に劣ることがわかった。
【００８８】
［実施例ｃ２０１、ｃ２０２および比較例ｄ２０１］
下記表３に記載の組成となるように実施例ｃ２０１、ｃ２０２および比較例ｄ２０１の潤滑剤組成物を調製した。
なお、本発明の潤滑剤組成物はいずれも４０℃での動粘度が３０ｍｍ2／ｓ〜５０ｍｍ2／ｓであることを、本明細書中に記載の方法で確認した。
得られた各実施例および比較例の潤滑剤組成物についても前記手法により摩擦係数、磨耗痕径を観測した。その結果を下記表３に示した。
下記表３より、本発明の潤滑剤組成物は更に亜鉛、モリブデン、硫黄、リンのうち少なくとも１種を構成元素として有する化合物を添加することにより、更に磨耗を低減でき、過酷条件での潤滑性に優れることがわかった。
一方、比較例ｄ２０１より、縮合物Ａを添加せずに、媒体ならびに亜鉛、モリブデン、硫黄およびリンのうち少なくとも１種を構成元素として有する化合物のみを用いた潤滑剤組成物は、過酷条件での潤滑性に劣ることがわかった。
【００８９】
【表３】
2015160913.tif 000018
表３中、ＭｏＤＴＣは硫化オキシモリブデン−Ｎ，Ｎ−ジオクチルジチオカーバメートを表し、ＺｎＤＴＰはイソプロピル−１−エチルブチルジチオリン酸亜鉛を表す。